(57)【要約】【課題】位置決めの効果を維持しつつ、簡単な構造で、押圧力の影響を確実に抑制できる操作表示部を備えた空気調和装置を提供することを目的とする。【解決手段】ベース３およびフロントパネル５で構成されるケーシング７と、フロントパネル５の上部に形成された上部吹出口１３と、上部吹出口１３に沿って配置され、上部吹出口１３の対応する部分を開閉する上部吹出グリル１５と、上部吹出口１３内で上部吹出グリル１５の幅方向に隣り合って配置され、表面に少なくとも運転スイッチ４７を備えたディスプレイ部２９と、を備えている空気調和装置１であって、ディスプレイ部２９の一端部は、対向する上部吹出グリル１５に着脱可能に取り付けられ、ディスプレイ部２９の他端部側における裏面の一部は、ベース３に取り付けられたコントロールボックス３５によって運転スイッチ４７の操作方向への移動を制限するように支持されている。【選択図】図２
2010084953.tif 000002
【特許請求の範囲】
【請求項１】
ベースおよび少なくともフロントパネルによって箱形に構成されたケーシングと、
該ケーシングの上部に位置する前記フロントパネルに形成された幅方向に延在する開口部と、
該開口部に沿って幅方向に延在するように配置され、該開口部の対応する部分を開閉する開閉部材と、
前記開口部内で前記開閉部材の幅方向に隣り合って配置され、表面に少なくとも操作部材を備えた操作表示部と、を備えている空気調和装置であって、
該操作表示部の一端部は、対向する前記開閉部材に着脱可能に取り付けられ、
該操作表示部の他端部側における裏面の一部は、前記ベースに取り付けられた支持部材によって前記操作部材の操作方向への移動を制限するように支持されていることを特徴とする空気調和装置。
【請求項２】
前記支持部材は、前記ベースに取り付けられ、運転の制御を行なう部材を保持するコントロールボックスであることを特徴とする請求項１に記載の空気調和装置。
【発明の詳細な説明】
【技術分野】
【０００１】
本発明は、空気調和装置に関するものである。
【背景技術】
【０００２】
従来から、空調された空気を室内に吹出するために上下方向に離隔して配置された上部吹出口および下部吹出口を備えた空気調和装置が知られている。これは、特に床置形の室内ユニットにおいてよく用いられている。
この空気調和装置では、一般に上部吹出口は箱形をしたケーシングの上部、たとえば、前面から上面にかけてのコーナー部あるいは上面に配置されている。
また、特許文献１に示されるように、空気調和装置の運転制御を行なうコントローラおよび操作表示を行う操作パネルは、たとえば、デザイン上ケーシングの右上、すなわち、上部吹出口に隣り合う位置に取り付けられることがある。このコントローラの下方位置は、たとえば、冷媒配管等の収納等に用いられる空間となる。
【０００３】
このような空気調和装置では、メンテナンス等のため前面は取外し可能なパネル（上部開口部が設けられている。）とされている。
一方、コントローラおよび操作パネルは、配線等があるので、ベース等の固定側に取り付けられることになる。このため、前面のパネルを取り外し、メンテナンス等を行った後、再度パネルを取付ける場合、操作パネルと干渉しないようにしながら取付ける必要があり、使用勝手が良くない。
これを解消するために、操作パネルをパネルの上部開口部に対応して設けられている吹出グリルに取付けることが考えられる。パネル（上部開口部）と吹出グリルとは位置合わせが十分行なわれているので、操作パネルもパネルに対して位置決めされていることになる。このため、パネルは、操作パネルとの位置決めをほとんど考慮しなくても取り付けることができる。
【０００４】
【特許文献１】特開２００８−５１４３６号公報
【発明の開示】
【発明が解決しようとする課題】
【０００５】
ところで、操作パネルには、運転スイッチ等の押ボタンがあるので、この押ボタンを操作するとパネルに押圧方向、たとえば、下向きの力が作用する。操作パネルはこの力が長期間に亘って作用しても破損等の不具合が発生しないように取付ける必要がある。
このためには、操作パネルは吹出グリルに強固に取り付ける必要がある。また、より確実には吹出グリルを操作パネル側に延長し、操作パネルが受ける押圧力を吹出グリルが受けるようにすることが必要となる。
このようにすると、操作パネルが取り付けられていない状態でも操作パネルの位置に吹出グリルが存在することになるので、そのままでは下方に位置するコントローラあるいは冷媒配管等のメンテナンス作業が難しくなる。また、吹出グリルを取外しことになると、大きな作業になる。さらに、コントローラ等を組込作業、配線作業等が行い難くなる。
【０００６】
本発明は、このような事情に鑑み、位置決めの効果を維持しつつ、簡単な構造で、押圧力の影響を確実に抑制できる操作表示部を備えた空気調和装置を提供することを目的とする。
【課題を解決するための手段】
【０００７】
上記課題を解決するため、本発明の空気調和装置は以下の手段を採用する。
すなわち、本発明にかかる空気調和装置は、ベースおよび少なくともフロントパネルによって箱形に構成されたケーシングと、該ケーシングの上部に位置する前記フロントパネルに形成された幅方向に延在する開口部と、該開口部に沿って幅方向に延在するように配置され、該開口部の対応する部分を開閉する開閉部材と、前記開口部内で前記開閉部材の幅方向に隣り合って配置され、表面に少なくとも操作部材を備えた操作表示部と、を備えている空気調和装置であって、該操作表示部の一端部は、対向する前記開閉部材に着脱可能に取り付けられ、該操作表示部の他端部側における裏面の一部は、前記ベースに取り付けられた支持部材によって前記操作部材の操作方向への移動を制限するように支持されていることを特徴とする。
【０００８】
本発明によれば、操作表示部の一端部は、対向する開閉部材に着脱可能に取り付けられているので、開閉部材に対して一定の位置関係に保持されていることになる。開閉部材は、フロントパネルの開口部の対応する部分を開閉するものであるので、その性能を発揮するためにフロントパネルと十分位置合わせが行なわれている。
したがって、操作表示部はフロントパネルに対して十分位置決めされていることになるので、メンテナンス等で取り外したフロントパネルは、操作表示部との位置決めをあまり考慮しなくても容易に取り付けることができる。
また、操作表示部の他端部側における裏面の一部は、ベースに取り付けられた支持部材によって操作部材の操作方向への移動を制限するように支持されているので、たとえば、操作部材を操作したときに作用する力は、開閉部材への取付部分と支持部材とによって受けることになる。このように、操作表示部へ作用する力は、開閉部材への取付部分と支持部材とによって受けるので、開閉部材への取付が簡素な構造であっても十分な支持を行うことができる。
さらに、支持部材は、操作表示部の裏面の一部を支持しているだけであるので、操作表示部を取り外すと裏面側の部材、たとえば、コントロールボックスへ容易に接近することができる。このため、これらのメンテナンス作業あるいは組付け作業を容易に行うことができる。
なお、開口部が存在する「上部」とは、上に位置するということであり、上面に限定されるものではない。すなわち、前面でも、前面から上面にかかるものも含むものである。
【０００９】
また、本発明の空気調和装置は、前記支持部材は、前記ベースに取り付けられ、運転の制御を行なう部材を保持するコントロールボックスであることを特徴とする。
【００１０】
コントロールボックスには、操作表示部からの指示を受けて空気調和装置の運転を制御する制御部が格納あるいは取り付けられているので、コントロールボックスは操作表示部の近くに設置されている。また、コントロールボックスはベースに強固に取り付けられている。
したがって、コントロールボックスは支持部材として適しているので、これを選択することとした。
【発明の効果】
【００１１】
本発明によると、操作表示部の一端部は、対向する開閉部材に着脱可能に取り付けられているので、メンテナンス等で取り外したフロントパネルは、操作表示部との位置決めをあまり考慮しなくても容易に取り付けることができる。
また、操作表示部の他端部側における裏面の一部は、ベースに取り付けられた支持部材によって操作部材の操作方向への移動を制限するように支持されているので、開閉部材への取付が簡素な構造であっても十分な支持を行うことができ、押圧力の影響を確実に抑制できる。
さらに、支持部材は、操作表示部の裏面の一部を支持しているだけであるので、操作表示部を取り外すと裏面側の部材、たとえば、コントロールボックスのメンテナンス作業あるいは組付け作業を容易に行うことができる。
【発明を実施するための最良の形態】
【００１２】
以下、本発明の一実施形態にかかる空気調和装置１について、図１〜図４に基づいて説明する。
図１は、空気調和装置１の外観を示す斜視図である。
空気調和装置１は、上下２方向吹き出しの床置形空気調和装置の例であり、ベース３とフロントパネル５とによって構成された横長直方体形状のケーシング７を備えている。
【００１３】
ベース３は、部分的に強度の高い材料で構成されており、図示しないターボファン、室内熱交換器等が取り付けられている。
フロントパネル５は、ベース３の前面に嵌合する吹出パネル９と、吹出パネル９の前面に嵌合する吸込パネル１１と、で構成されている。
【００１４】
吹出パネル９の前面から上面にかけてのコーナー部分には、上部吹出口（開口部）１３が幅方向に水平に開口されている。
上部吹出口１３に沿って幅方向に延在するように上部吹出グリル（開閉部材）１５が配置されている。
上部吹出グリル１５は、ベース３に取り付けられ、ベース３に形成された空調空気を上部吹出口１３へ導く導風路の出口部分を構成している。
上部吹出グリル１５には、幅方向に延在する軸線まわりに回転する水平ルーバ１７が備えられている。下部吹出口１３は、水平ルーバ１７の回転により開閉可能とされている。
【００１５】
吹出パネル９の下方部には、下部吹出口１９が幅方向に水平に開口されている。
下部吹出口１９に沿って幅方向に延在するように下部吹出グリル２１が配置されている。下部吹出グリル２１は、ベース３に取り付けられ、ベース３に形成された空調空気を下部吹出口１９へ導く導風路の出口部分を構成している。
下部吹出グリル２１には幅方向に延在する軸線まわりに回転する水平ルーバ２３が備えられている。下部吹出口１９は、水平ルーバ２３の回転により開閉可能とされている。
【００１６】
吹出パネル９の前面には、室内空気の通路となる大きな開口部（図示省略）があり、吸込パネル１１は、この開口部を覆うようにされている。
吹出パネル９には、室内の空気を吸い込む吸込口２５が上下に離隔して２個開口されている。各吸込口２５には、それぞれ吸込グリル２７が設けられている。
【００１７】
上部吹出口１３の一端側には、上部吹出グリル１５に隣り合ってディスプレイ部（操作表示部）２９が配置されている。
図２は、フロントパネル５を取り外した状態のディスプレイ部２９を示す部分斜視図である。図３は、ディスプレイ部２９を取り外した状態における図２と同様部分を拡大して示す部分拡大斜視図である。図４は、ディスプレイ部２９の装着状態を示す部分側面図である。
【００１８】
上部吹出グリル１５の幅方向端部には、空調空気の導風路を構成するフレーム部材３１が備えられている。フレーム部材３１には、水平ルーバ１７の回転軸を回転駆動するモータ３３が取り付けられている。
ベース３の側面に近い部分には、フレーム部材３１から間隔を空けて、上下方向に長い略直方体形状をしたコントロールボックス（支持部材）３５がベース３に取り付けられている。
【００１９】
コントロールボックス３５には、空気調和装置１の運転を制御する各種制御部材が格納あるいは取り付けられている。
制御部材は、各種センサから入力された検出値およびディスプレイ部２９等によってユーザが指示した諸設定の入力を受けて、所定のプログラムに基づいた制御信号を出力し、空気調和装置１の運転を制御する。
制御部材は、たとえば、圧縮機のオン・オフや回転数、四方弁の流路切換、ターボファンおよび室外ファンのオン・オフや回転数、上部吹出口１３および下部吹出口１９の開閉等について、制御する。
【００２０】
ディスプレイ部２９には、ディスプレイホルダ３７と、ディスプレイパネル３９と、取付フランジ４１，４３と、脚部４５とが備えられている。
ディスプレイホルダ３７は、略直方体形状をした箱体であり、表面に、運転スイッチ（操作部材）４７、複数の設定スイッチ（操作部材）４９および運転状況等を表示する複数のＬＥＤ５１が取り付けられている。
【００２１】
ディスプレイパネル３９は板材であり、ディスプレイホルダ３７の表面の一部を覆うようにディスプレイホルダ３７に取り付けられている。ディスプレイパネル３９の表面形状は吹出パネル９の形状に沿って湾曲されている。また、ディスプレイパネル３９は上部吹出口１３の水平ルーバ１７で覆われない部分を略覆うように構成されている。
ディスプレイパネル３９は、ディスプレイホルダ３７の運転スイッチ４７および設定スイッチ４９と連結され、これらを操作できるように構成されている。また、ＬＥＤ５１の発光を表示できるように構成されている。
【００２２】
取付フランジ４１，４３は、ディスプレイホルダ３７の上部吹出グリル１５側（一端部）に取り付けられている。取付フランジ４１，４３は、上部吹出グリル１５側に向かい延設され、ディスプレイホルダ３７に対向する上部吹出グリル１５のフレーム部材３１にボルトによって着脱可能に取り付けられている。
ディスプレイホルダ３７は、上部吹出グリル１５の端面であるフレーム部材３１によって片持ち式に支持されている。
【００２３】
脚部４５は、ディスプレイホルダ３７の裏面（運転スイッチ４７等が取り付けられている面の反対側の面）における幅方向略中間部で、かつ、上側（ベース３側）端部位置に、下方に突起するように取り付けられている。
脚部４５は、先端部分が鉤状に折曲され、その先端面５３はディスプレイホルダ３７の裏面と略平行となるようにされている。
【００２４】
コントロールボックス３５には、上部吹出グリル１５側上端で、前面側位置に脚部４５を支持する支持部５５が突起するように備えられている。
支持部５５は、先端側（前面側）が鉤状に上方に向かうように折曲している。支持部５５の上面５７は、脚部４５の先端面５３と略同等の傾斜を有している。
支持部５５は、先端部分の折曲部５９と上面５７とで脚部４５を保持している。すなわち、支持部５５の上面５７は、脚部４５（ディスプレイホルダ３７）が裏面に略直交する方向に移動するのを抑制している。また、折曲部５９は、脚部４５の前面側への移動を抑制し、脚部４５の位置決めとともに案内する機能を有している。
【００２５】
以上に説明の構成により、本実施形態によれば、以下の作用効果を奏する。
空気調和装置１の組立は、ベース３に、ターボファン、室内熱交換器、冷媒配管、上部吹出グリル１５、下部吹出グリル２１およびコントロールボックス３５等を順次に取付ける。
コントロールボックス３５では、その中等に制御部材を組み込み、配線作業を行うことになるが、コントロールボックス３５の部分では、図３に示されるように略全面が開放されているので、容易に接近することができる。
【００２６】
ディスプレイ部２９の脚部４５を支持する支持部５５は、コントロールボックス３５の一部であり、かつ、突起量が大きくないので、コントロールボックス３５への接近に対して障害とならない。
したがって、制御部材の組み込みおよびそれらの配線作業を容易に行うことができる。
これは、ディスプレイ部２９を取外してメンテナンス等を行う場合にも、同様に作業を容易に行うことができる。
【００２７】
次いで、たとえば、ディスプレイホルダ３７を持ち込み、コントロールボックス３５との間の配線作業を行い、ディスプレイホルダ３７を取付ける。これは、脚部４５と支持部５５との位置を合わせ、脚部４５を支持部５５の折曲部５７に沿って移動させつつディスプレイホルダ３７を下方に移動させる。脚部４５の先端面５３が支持部５５の上面５７に支持されるとディスプレイホルダ３７の位置が略所定位置になるので、取付フランジ４１，４３をフレーム部材３１にボルトで固定する。
ディスプレイホルダ３７にディスプレイパネル３９を取付け、ディスプレイ部２９を完成させる。
【００２８】
次いで、フロントパネル５をベース３に取り付ける。このとき、上部吹出グリル１５は、上部吹出口１３の対応する部分を開閉するものであるので、その性能を発揮するためにフロントパネル５と十分位置合わせが行なわれている。
ディスプレイ部２９は、取付フランジ４１，４３によって上部吹出グリル１５のフレーム部材３１に取り付けられているので、上部吹出グリル１５に対して一定の位置関係に保持されていることになる。
【００２９】
したがって、ディスプレイ部２９は、上部吹出口１３に対して十分位置決めされていることになるので、ディスプレイ部２９の位置をあまり考慮しなくてもフロントパネル５を容易に取り付けることができる。
これは、メンテナンス等で、フロントパネル５を取外し、再度取り付ける場合にも、同様である。
【００３０】
空気調和装置１を使用しているとき、ディスプレイ部２９の、たとえば、運転スイッチ４７等の押ボタンが押されることになる。押ボタンが押されると、ディスプレイ部２９に押す方向へ押圧力が作用するが、この押圧力は、取付フランジ４１，４３のフレーム部材３１への取付部と、支持部５５とによって受けられる。このように、ディスプレイ部２９は３点で言い換えると面的に支持されているので、取付フランジ４１，４３のフレーム部材３１への取付が簡素な構造であっても十分な支持を行うことができる。
また、ディスプレイ部２９は、このような押圧力に対して十分な強度で支持されているので、これらの力が長期に亘り作用しても、破損等の不具合が発生することを抑制することができる。
【００３１】
なお、本発明は、上記した実施形態に限定されるものではなく、その要旨を逸脱しない範囲において、適宜変形が可能である。
たとえば、本実施形態では、支持部５５がコントロールボックス３５に備えられているが、これに限定されるものではなく、ベース３に直接備えてもよいし、あるいはベース３に取り付けられた部材に備えてもよい。
【図面の簡単な説明】
【００３２】
【図１】本発明の一実施形態にかかる空気調和装置の外観を示す斜視図である。
【図２】本発明の一実施形態にかかる空気調和装置におけるフロントパネルを取り外した状態のディスプレイ部を示す部分斜視図である。
【図３】本発明の一実施形態にかかる空気調和装置におけるフロントパネルを取り外した状態のディスプレイ部を部分拡大して示す部分斜視図である。
【図４】本発明の一実施形態にかかるディスプレイ部の装着状態を示す部分側面図である。
【符号の説明】
【００３３】
１  空気調和装置
３  ベース
５  フロントパネル
７  ケーシング
１３  上部吹出口
１５  上部吹出グリル
２９  ディスプレイ部
３５  コントロールボックス
４７  運転スイッチ
４９  設定スイッチ
【図１】
2010084953.tif 000003
【図２】
2010084953.tif 000004
【図３】
2010084953.tif 000005
【図４】
2010084953.tif 000006